(57)【特許請求の範囲】
【請求項１】
ワイヤレスローカルエリアネットワークにおける情報伝送方法であって、
レガシーシグナリングフィールド（Ｌ−ＳＩＧ）、および繰り返されるレガシーシグナリングフィールド（ＲＬ−ＳＩＧ）を生成するステップであって、
２０ＭＨｚ帯域幅内の前記Ｌ−ＳＩＧ内のインデックス−２８、−２７、２７、および２８を有するサブキャリアは、それぞれ、−１、−１、−１、および１を搬送し、前記２０ＭＨｚ帯域幅内の前記ＲＬ−ＳＩＧ内のインデックス−２８、−２７、２７、および２８を有するサブキャリアは、それぞれ、−１、−１、−１、および１を搬送する、ステップと、
前記生成されたＬ−ＳＩＧおよびＲＬ−ＳＩＧを送信するステップと
を含み、
前記２０ＭＨｚ内のインデックス−２１、−７、７および２１を有する４つのサブキャリア上においてパイロットシーケンスが搬送され、
伝送帯域幅が、前記２０ＭＨｚ帯域幅よりも大きいときは、前記Ｌ−ＳＩＧおよび前記ＲＬ−ＳＩＧを生成するステップは、
前記伝送帯域幅内の各２０ＭＨｚサブチャネルに対して前記Ｌ−ＳＩＧおよび前記ＲＬ−ＳＩＧを複製するステップと、
異なる位相回転係数を用いて、複製された各２０ＭＨｚサブチャネルに対して位相回転を適用するステップと
を含む情報伝送方法。
【請求項２】
前記方法は、
ＩＥＥＥ８０２．１１ａｃ規格に従ってレガシーショートトレーニングフィールド（Ｌ−ＳＴＦ）およびレガシーロングトレーニングフィールド（Ｌ−ＬＴＦ）を生成するステップをさらに含み、前記Ｌ−ＳＴＦおよび前記Ｌ−ＬＴＦは、前記２０ＭＨｚ帯域幅内のサブキャリア上において搬送されるが、インデックス−２８、−２７、２７、および２８を有するサブキャリア上において搬送されない、請求項１に記載の方法。
【請求項３】
少なくとも１つのプロセッサと、
前記少なくとも１つのプロセッサに結合され、前記少なくとも１つのプロセッサによる実行のためのプログラミング命令を記憶する非一時的コンピュータ読み取り可能記憶媒体であって、前記プログラミング命令は前記少なくとも１つのプロセッサに、
レガシーシグナリングフィールド（Ｌ−ＳＩＧ）、および繰り返されるレガシーシグナリングフィールド（ＲＬ−ＳＩＧ）を生成するよう命令し、２０ＭＨｚ帯域幅内の前記Ｌ−ＳＩＧ内のインデックス−２８、−２７、２７、および２８を有するサブキャリアは、それぞれ、−１、−１、−１、および１を搬送し、前記２０ＭＨｚ帯域幅内の前記ＲＬ−ＳＩＧ内のインデックス−２８、−２７、２７、および２８を有するサブキャリアは、それぞれ、−１、−１、−１、および１を搬送する、非一時的コンピュータ読み取り可能記憶媒体と
を備えたワイヤレスローカルエリアネットワークにおける情報伝送装置であって、
前記２０ＭＨｚ内のインデックス−２１、−７、７および２１を有する４つのサブキャリア上においてパイロットシーケンスが搬送され、
前記プログラミング命令は、前記少なくとも１つのプロセッサに、
伝送帯域幅が前記２０ＭＨｚ帯域幅よりも大きいときは、前記伝送帯域幅内の各２０ＭＨｚサブチャネルに対して前記Ｌ−ＳＩＧおよび前記ＲＬ−ＳＩＧを複製し、
異なる位相回転係数を用いて、複製された各２０ＭＨｚサブチャネルに対して位相回転を適用するようさらに命令する、装置。
【請求項４】
前記プログラミング命令は、前記少なくとも１つのプロセッサに、
ＩＥＥＥ８０２．１１ａｃ規格に従ってレガシーショートトレーニングフィールド（Ｌ−ＳＴＦ）およびレガシーロングトレーニングフィールド（Ｌ−ＬＴＦ）を生成するようさらに命令し、前記Ｌ−ＳＴＦおよび前記Ｌ−ＬＴＦは、前記２０ＭＨｚ帯域幅内のサブキャリア上において搬送されるが、インデックス−２８、−２７、２７、および２８を有するサブキャリア上において搬送されない、
請求項３に記載の装置。
【請求項５】
ワイヤレスローカルエリアネットワークにおける情報伝送方法であって、
レガシーシグナリングフィールド（Ｌ−ＳＩＧ）、および繰り返されるレガシーシグナリングフィールド（ＲＬ−ＳＩＧ）を生成するステップであって、
２０ＭＨｚ帯域幅内の前記Ｌ−ＳＩＧ内のインデックス−２８、−２７、２７、および２８を有するサブキャリアは、それぞれ、１、−１、−１、および１を搬送し、
前記２０ＭＨｚ帯域幅内の前記ＲＬ−ＳＩＧ内のインデックス−２８、−２７、２７、および２８を有するサブキャリアは、それぞれ、１、−１、−１、および１を搬送する、ステップと、
前記生成されたＬ−ＳＩＧおよびＲＬ−ＳＩＧを送信するステップと
を含み、
前記２０ＭＨｚ内のインデックス−２１、−７、７および２１を有する４つのサブキャリア上においてパイロットシーケンスが搬送され、
伝送帯域幅が前記２０ＭＨｚ帯域幅よりも大きいときは、Ｌ−ＳＩＧおよび前記ＲＬ−ＳＩＧを生成するステップは、
前記伝送帯域幅内の各２０ＭＨｚサブチャネルに対して前記Ｌ−ＳＩＧおよび前記ＲＬ−ＳＩＧを複製するステップと、
異なる位相回転係数を用いて、複製された各２０ＭＨｚサブチャネルに対して位相回転を適用するステップと
をさらに含む情報伝送方法。
【請求項６】
前記方法は、
ＩＥＥＥ８０２．１１ａｃ規格に従ってレガシーショートトレーニングフィールド（Ｌ−ＳＴＦ）およびレガシーロングトレーニングフィールド（Ｌ−ＬＴＦ）を生成するステップをさらに含み、前記Ｌ−ＳＴＦおよび前記Ｌ−ＬＴＦは、前記２０ＭＨｚ帯域幅内のサブキャリア上において搬送されるが、インデックス−２８、−２７、２７、および２８を有するサブキャリア上において搬送されない、請求項５に記載の方法。
【発明の詳細な説明】
【技術分野】
【０００１】
本発明の実施形態は、通信技術に関し、詳細には、ワイヤレスローカルエリアネットワークにおける情報伝送方法および装置に関する。
【背景技術】
【０００２】
本出願は、その全体が参照によって本明細書に組み込まれる、２０１６年１月７日に中国特許庁に出願された、「ＩＮＦＯＲＭＡＴＩＯＮ  ＴＲＡＮＳＭＩＳＳＩＯＮ  ＭＥＴＨＯＤ  ＡＮＤ  ＡＰＰＡＲＡＴＵＳ  ＩＮ  ＷＩＲＥＬＥＳＳ  ＬＯＣＡＬ  ＡＲＥＡ  ＮＥＴＷＯＲＫ」と題する、中国特許出願第２０１６１００１１２７１．６号に基づく優先権を主張する。
【０００３】
ワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）は、データ伝送システムであり、無線周波数（Ｒａｄｉｏ  Ｆｒｅｑｕｅｎｃｙ、ＲＦ）技術を使用することによって、ツイストペア銅線を備えるレガシーローカルエリアネットワークに取って代わっており、ユーザは、簡単なアクセスアーキテクチャを使用することによって、ワイヤレスローカルエリアネットワークを介して、情報を伝送することができる。ＷＬＡＮ技術の発展および適用は、人々の通信方法および働き方を大きく変化させ、人々に前例のない便利さをもたらしている。インテリジェント端末の幅広い適用に伴って、人々は、データネットワークトラフィックに対する要求を高めている。ＷＬＡＮの発展は、規格の定式化、普及、および適用に依存する。ＩＥＥＥ８０２．１１ファミリは、主要な規格であり、主に、８０２．１１、８０２．１１ｂ／ｇ／ａ、８０２．１１ｎ、および８０２．１１ａｃを含む。８０２．１１および８０２．１１ｂを除く、すべての規格において、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）技術が、物理レイヤにおけるコア技術として使用される。
【０００４】
チャネル推定は、受信信号に従って、特定の基準によって、伝送信号が通過するチャネルのパラメータを推定する処理である。ワイヤレス通信システムの性能は、シャドウフェージングおよび周波数選択性フェージングなど、ワイヤレスチャネルによって大きく影響される。その結果、送信機と受信機との間の伝送経路は、きわめて複雑になる。固定されており、予測可能な有線チャネルとは異なり、ワイヤレスチャネルは、高いランダム性によって特徴付けられる。チャネルは、ＯＦＤＭシステムのコヒーレント検波において、推定される必要があり、チャネル推定精度が、システム全体の性能に直接的に影響する。
【０００５】
ＷＬＡＮ技術は、過去１０年ほどの間に急速に発展しており、中核的な伝送規格は、８０２．１１ａ、８０２．１１ｎ、および８０２，１１ａｃなどを含む、ＩＥＥＥ８０２．１１ファミリに属する規格である。加えて、８０２．１１ファミリに属する規格は、後方互換性があり、すなわち、後で開発された規格は、既存の規格と互換性がある。現在、規格化処理中の８０２．１１ａｘも、後方互換性特徴を有する必要がある。対応する規格においては、ワイヤレスローカルエリアネットワークのピーク対平均電力比（Ｐｅａｋ  ｔｏ  Ａｖｅｒａｇｅ  Ｐｏｗｅｒ  Ｒａｔｉｏ、ＰＡＰＲ）は、可能な限り低減される必要がある。
【発明の概要】
【０００６】
ワイヤレスローカルエリアネットワークのＰＡＰＲを低減するために、本発明の実施形態は、ワイヤレスローカルエリアネットワークにおける情報伝送方法を提供する。方法は、レガシーシグナリングフィールドＬ−ＳＩＧ、および／または繰り返されるレガシーシグナリングフィールドＲＬ−ＳＩＧを生成するステップであって、２０ＭＨｚ帯域幅内のＬ−ＳＩＧまたはＲＬ−ＳＩＧ内のインデックス−２８、−２７、２７、および２８を有するサブキャリアは、それぞれ、−１、−１、−１、および１を搬送する、ステップと、
生成されたＬ−ＳＩＧ／ＲＬ−ＳＩＧを送信するステップと
を含む。
確かに、−１、−１、−１、および１に加えて、実施形態においては、他のより好ましい値が、さらに提供される。
【０００７】
伝送帯域幅が、２０ＭＨｚ帯域幅よりも大きいときは、Ｌ−ＳＩＧ／ＲＬ−ＳＩＧを生成するステップは、伝送帯域幅内の各２０ＭＨｚ帯域幅内において、Ｌ−ＳＩＧおよびＲＬ−ＳＩＧを複製するステップであって、インデックス−２８、−２７、２７、および２８を有するサブキャリアは、伝送帯域幅内の各２０ＭＨｚサブチャネル上において、−１、−１、−１、および１を搬送する、ステップと、伝送帯域幅内の各２０ＭＨｚサブチャネルに対して位相回転を適用するステップとを含む。
【０００８】
代替として、伝送帯域幅が、２０ＭＨｚ帯域幅よりも大きいときは、１１ａｘにおいてＬ−ＳＩＧ／ＲＬ−ＳＩＧに挿入されるサブキャリアは、対応して、実施形態において提供される他のより好ましい値を搬送し得る。
【０００９】
対応して、ワイヤレスローカルエリアネットワークにおける情報伝送装置が、提供され、それは、上述の方法を実行するように構成された処理ユニットと、インターフェースとを備える。
【００１０】
シミュレーションおよび比較を用いて、本発明の実施形態におけるＬ−ＳＩＧまたはＲＬ−ＳＩＧは、システムが、きわめて低いＰＡＰＲ値を有することを可能にする。
【図面の簡単な説明】
【００１１】
本発明の実施形態または先行技術における技術的解決策をより明瞭に説明するために、以下では、実施形態または先行技術を説明するために必要とされる添付の図面について簡潔に説明する。明らかに、以下の説明における添付の図面は、本発明のいくつかの実施形態を示しており、当業者は、創造的な努力なしに、これらの添付の図面から他の図面をまだ導出し得る。
【図１】本発明の実施形態における、ワイヤレスローカルエリアネットワークの簡単な概略図である。
【図２】本発明の実施形態（例えば、８０２．１１ａｘ）における、パケット構造の簡単な概略図である。
【図３】本発明の実施形態における、Ｌ−ＳＩＧの簡単な概略構造図である。
【図４】８０２．１１ａｃにおける、２０ＭＨｚ帯域幅内におけるＬ−ＳＩＧのサブキャリアマッピングの概略図である。
【図５Ａ】８０２．１１ａｃにおける、４０ＭＨｚ帯域幅内におけるＬ−ＳＩＧの複製および位相回転の概略図である。
【図５Ｂ】８０２．１１ａｃにおける、４０ＭＨｚ帯域幅内におけるＬ−ＳＩＧの複製および位相回転の概略図である。
【図６】８０２．１１ａｃにおける、Ｌ−ＳＩＧを送信する手順を示す図である。
【図７】本発明の実施形態（例えば、８０２．１１ａｘ）における、２０ＭＨｚ帯域幅内におけるＨＥ−ＳＩＧ  Ａのサブキャリアマッピングの概略図である。
【図８】本発明の実施形態（例えば、８０２．１１ａｘ）における、２０ＭＨｚ帯域幅内におけるＬ−ＳＩＧのサブキャリアマッピングの簡単な概略図である。
【図９】本発明の実施形態（例えば、８０２．１１ａｘ）における、追加のサブキャリアがＬ−ＳＩＧ／ＲＬ−ＳＩＧに挿入された後に、Ｌ−ＳＩＧ／ＲＬ−ＳＩＧを送信する手順を示す図である。
【図１０】本発明の実施形態（例えば、８０２．１１ａｘ）における、追加のサブキャリアがＬ−ＳＩＧ／ＲＬ−ＳＩＧに挿入された後に、Ｌ−ＳＩＧ／ＲＬ−ＳＩＧを送信する別の手順を示す図である。
【図１１】本発明の実施形態における、情報伝送装置の簡単な概略図である。
【発明を実施するための形態】
【００１２】
本発明の実施形態の解決策は、ＷＬＡＮネットワークシステムに適用可能であり得る。図１は、本発明の実施形態１による、ワイヤレスローカルエリアネットワークにおける伝送方法が適用可能であるシナリオの概略図である。図１に示されるように、ＷＬＡＮネットワークシステムは、１つのアクセスポイント１０１と、少なくとも２つの局１０２とを含み得る。
【００１３】
アクセスポイント（ＡＰ、Ａｃｃｅｓｓ  Ｐｏｉｎｔ）は、ワイヤレスアクセスポイント、ブリッジ、またはホットスポットなどと呼ばれることもあり、サーバまたは通信ネットワークにアクセスし得る。
【００１４】
局（ＳＴＡ、Ｓｔａｔｉｏｎ）は、ユーザ機器と呼ばれることもあり、ＷｉＦｉ通信機能をサポートする、ワイヤレスセンサ、ワイヤレス通信端末、またはモバイルフォン（もしくは「セルラー」フォンと呼ばれる）などのモバイル端末、およびワイヤレス通信機能を有するコンピュータとし得る。例えば、局は、音声またはデータなどの通信データを無線アクセスネットワークと交換する、ＷｉＦｉ通信機能をサポートする、ポータブルの、ポケットサイズの、ハンドヘルドの、コンピュータ内蔵の、ウェアラブルの、または車載のワイヤレス通信装置とし得る。いくつかの通信デバイスが、上述のアクセスポイントおよび上述の局の両方の機能を有し得ることを、当業者は知っており、本明細書においては、限定は課されない。
【００１５】
図２は、８０２．１１ａｘにおけるパケット構造の簡単な概略図である。高効率シグナリングフィールドＢ（Ｈｉｇｈ  Ｅｆｆｉｃｉｅｎｃｙ  Ｓｉｇｎａｌｉｎｇ  Ｆｉｅｌｄ  Ｂ、ＨＥ−ＳＩＧ  Ｂ）は、ダウンリンクマルチユーザ伝送パケット内にだけ存在する。
【００１６】
上述のパケット構造において、レガシーショートトレーニングフィールド（Ｌｅｇａｃｙ  Ｓｈｏｒｔ  Ｔｒａｉｎｉｎｇ  Ｆｉｅｌｄ、Ｌ−ＳＴＦ）、レガシーロングトレーニングフィールド（Ｌｅｇａｃｙ  Ｌｏｎｇ  Ｔｒａｉｎｉｎｇ  Ｆｉｅｌｄ、Ｌ−ＬＴＦ）、およびレガシーシグナリングフィールド（Ｌｅｇａｃｙ  Ｓｉｇｎａｌｉｎｇ  Ｆｉｅｌｄ、Ｌ−ＳＩＧ）は、レガシープリアンブル部であり、レガシープリアンブル部の機能の１つは、後方互換性特徴を実装することである。繰り返されるレガシーシグナリングフィールド（Ｒｅｐｅａｔｅｄ  Ｌｅｇａｃｙ  Ｓｉｇｎａｌｉｎｇ  Ｆｉｅｌｄ、ＲＬ−ＳＩＧ）は、Ｌ−ＳＩＧと全く同じであり、ＲＬ−ＳＩＧの機能の１つは、８０２．１１ａｘパケットを自動的に検出することである。図３は、Ｌ−ＳＩＧの概略図である。Ｌ−ＳＩＧフィールドは、全部で２４個の情報ビットを含み、レートおよび長さなどの制御情報を搬送することが知られることができる。
【００１７】
既存の８０２．１１ａｃにおいては、Ｌ−ＳＩＧフィールド上において、コードレートが１／２のバイナリ畳み込みコーディング（Ｂｉｎａｒｙ  Ｃｏｎｖｏｌｕｔｉｏｎａｌ  Ｃｏｄｅ）を実行することによって、４８個のエンコードされたビットが、獲得され、その後、インターリービング処理が、実行され、変調が、バイナリ位相偏移変調（Ｂｉｎａｒｙ  Ｐｈａｓｅ  Ｓｈｉｆｔ  Ｋｅｙ、ＢＰＳＫ）を用いて実行されて、４８個のシンボルを獲得する。
【００１８】
伝送帯域幅が、２０ＭＨｚであるときは、１ｘモードにおいて、６４個のサブキャリアが、存在し、サブキャリアのインデックスは、−３２、．．．、−１、０、１、．．．、および３１であり、隣接サブキャリア間の周波数間隔は、ΔF＝３１２．５ｋＨｚである。これらの６４個のサブキャリアの中に、５２個の利用可能なサブキャリアが、存在し、それらのシリアル番号は、−２６、．．．、−１、１、．．．、および２６である。５２個のサブキャリアの中に、Ｌ−ＳＩＧ伝送のために使用される４８個のサブキャリアが、存在し、これらのサブキャリアのインデックスは、−２６、．．．、−２２、−２０、．．．、−８、−６、．．．、−１、１、…、６、８、．．．、２０、２２、．．．、および２６であり、残りの４つのサブキャリアは、パイロットシーケンスを搬送する。Ｌ−ＳＩＧの上述の獲得された４８のシンボルは、インデックス−２６、．．．、−２２、−２０、．．．、−８、−６、．．．、−１、１、．．．、６、８、．．．、２０、２２、．．．、および２６を有するサブキャリアにマッピングされる。その後、パイロットシーケンスが、インデックス±７および±２１を有するサブキャリアに挿入される。
【００１９】
図４は、２０ＭＨｚ帯域幅内におけるＬ−ＳＩＧのサブキャリアマッピングの概略図である。直流サブキャリアは、描かれておらず、インデックス−３２、．．．、−２７、２７、．．．、および３１を有する空のサブキャリアも、描かれていない。パイロットシーケンスを搬送するサブキャリアは、区別のために、点線によって表されている。
【００２０】
伝送帯域幅が、２０ＭＨｚよりも大きいときは、（パイロットシーケンスを含む）Ｌ−ＳＩＧは、複製され、各２０ＭＨｚサブチャネル上において位相回転される必要がある。すなわち、２０ＭＨｚ帯域幅内の、インデックス−２６、．．．、−１、１、．．．、および２６を有する（パイロットシーケンスを含む）サブキャリアの内容は、各２０ＭＨｚ帯域幅上において複製され、適切な位相回転が、各２０ＭＨｚ帯域幅に対して適用される。具体的に、４０ＭＨｚ帯域幅が、例として使用される。１０４個の利用可能なサブキャリアのインデックスは、−５８、．．．、−３３、−３１、．．．、−６、６、．．．、３１、３３、．．．、および５８である。２０ＭＨｚ帯域幅内の、インデックス−２６、．．．、−１、１、．．．、および２６を有する（パイロットシーケンスを含む）サブキャリアの内容は、４０ＭＨｚ帯域幅内の、インデックス−５８、．．．、−３３、−３１、．．．、および−６を有するサブキャリア（すなわち、４０ＭＨｚ帯域幅内の第１の２０ＭＨｚ帯域幅内のＬ−ＳＩＧフィールドの利用可能なサブキャリア）と、インデックス６、．．．、３１、３３、．．．、および５８を有するサブキャリア（すなわち、４０ＭＨｚ帯域幅内の第２の２０ＭＨｚ帯域幅内のＬ−ＳＩＧフィールドの利用可能なサブキャリア）とに、それぞれ複製される。その後、位相回転が、各２０ＭＨｚ帯域幅に対して適用される。具体的には、４０ＭＨｚ帯域幅内の、インデックス−５８、．．．、−３３、−３１、．．．、および−６を有するサブキャリア上のシンボルは、位相回転係数γ（１）＝１によって乗算され、４０ＭＨｚ帯域幅内の、インデックス６、．．．、３１、３３、．．．、および５８を有するサブキャリア上のシンボルは、位相回転係数γ（２）＝ｊによって乗算され、ここで、
【００２１】
【数１】
0006705895.tif 000002
【００２２】
である。図５Ａおよび図５Ｂは、４０ＭＨｚ帯域幅内におけるＬ−ＳＩＧの複製および位相回転の概略図である。複製および位相回転は、８０ＭＨｚ帯域幅および１６０ＭＨｚ帯域幅内においても、同様に実行される。詳細は、説明されない。
【００２３】
その後、逆離散フーリエ変換（Ｉｎｖｅｒｓｅ  Ｄｉｓｃｒｅｔｅ  Ｆｏｕｒｉｅｒ  Ｔｒａｎｓｆｏｒｍ、ＩＤＦＴ）が、実行され、各伝送チェーン（ｔｒａｎｓｍｉｔ  ｃｈａｉｎ）および周波数セグメント（ｆｒｅｑｕｅｎｃｙ  ｓｅｇｍｅｎｔ）上において、対応するサイクリックシフト遅延（Ｃｙｃｌｉｃ  Ｓｈｉｆｔ  Ｄｅｌａｙ、ＣＳＤ）が、実行される。その後、ガードインターバル（Ｇｕａｒｄ  Ｉｎｔｅｒｖａｌ、ＧＩ）が、挿入され、窓関数が、実行されて、Ｌ−ＳＩＧのベースバンド信号を獲得する。最後に、ベースバンド信号上において、周波数シフトが、実行され、その後、無線周波数ポートを使用することによって、ベースバンド信号が、伝送される。図６は、８０２．１１ａｃ規格において、Ｌ−ＳＩＧを送信する手順を示している。
【００２４】
しかしながら、８０２．１１ａｃ規格においては、レガシープリアンブル部のために、各２０ＭＨｚ帯域幅内に、５２個の利用可能なサブキャリアが、存在する。４８個のサブキャリアは、データを搬送するために使用され、残りの４つのサブキャリアは、パイロットを搬送するために使用される。しかしながら、最新の８０２．１１ａｘ規格においては、パケットのプリアンブル内のＨＥ−ＳＩＧ  Ａフィールド内における利用可能なサブキャリアの数は、５２個から増加して、５６個になる（利用可能なサブキャリアのインデックスは、−２８、−２７、−２６、．．．、−１、１、．．．、２６、２７、および２８である）。データを搬送するために使用されるサブキャリアの数は、４８個から増加して、５２個になり（サブキャリアのインデックスは、−２８、−２７、−２６、．．．、−２２、−２０、．．．、−８、−６、．．．、−１、１、．．．、６、８、．．．、２０、２２、．．．、２６、２７、および２８であり）、残りの４つのサブキャリアは、依然として、パイロットシーケンスを搬送する。図７は、２０ＭＨｚ帯域幅内におけるＨＥ−ＳＩＧ  Ａフィールドのサブキャリアマッピングの概略図である。
【００２５】
アクセスポイント（Ａｃｃｅｓｓ  Ｐｏｉｎｔ、ＡＰ）または局（Ｓｔａｔｉｏｎ、ＳＴＡ）が、ＨＥ−ＳＩＧ  Ａ内のデータをデコードすることを可能にするために、インデックス−２８、−２７、−２６、．．．、−２２、−２０、．．．、−８、−６、．．．、−１、１、．．．、６、８、．．．、２０、２２、．．．、２６、２７、および２８を有する上述の５２個のサブキャリアのチャネルが、推定される必要がある。インデックス−２６、．．．、−２２、−２０、．．．、−８、−６、．．．、−１、１、．．．、６、８、．．．、２０、２２、．．．、および２６を有する４８個のサブキャリアのチャネルは、Ｌ−ＳＴＦフィールドおよびＬ−ＬＴＦフィールドを使用することによって、推定され得る。しかしながら、Ｌ−ＳＴＦおよびＬ−ＬＴＦ内の、インデックス−２８、−２７、２７、および２８を有するサブキャリア上には、値が、存在せず、すなわち、４つのサブキャリアは、使用されていない。したがって、インデックス−２８、−２７、２７、および２８を有するサブキャリアのチャネルは、Ｌ−ＳＴＦフィールドおよびＬ−ＬＴＦフィールドを使用することによって、推定されることができない。インデックス−２８、−２７、２７、および２８を有するサブキャリアのチャネルを推定するために、８０２．１１ａｘのドラフトにおいては、インデックス−２８、−２７、２７、および２８を有する追加の４つのサブキャリアが、Ｌ−ＳＩＧ／ＲＬ−ＳＩＧフィールドに挿入される。このケースにおいて、２０ＭＨｚ帯域幅内のＬ−ＳＩＧ／ＲＬ−ＳＩＧによって占有されるサブキャリアが、図８に示されている。
【００２６】
既存の８０２．１１ａｃにおけるＬ−ＳＩＧ伝送方式においては、インデックス−２８、−２７、２７、および２８を有するサブキャリアは、使用されていない。したがって、８０２．１１ａｘにおいて４つのサブキャリアをどのように伝送するか、どのような内容が４つのサブキャリアによって搬送される必要があるか、および伝送帯域幅が２０ＭＨｚよりも大きい場合に、処理をしかるべく実行するにはどうするかなどの問題に対する解決策は、存在しない。
【００２７】
実施形態１
８０２．１１ａｘにおいては、ＲＬ−ＳＩＧは、Ｌ−ＳＩＧと全く同じである。したがって、以下の説明のために、Ｌ−ＳＩＧが、対象として使用され、ＲＬ−ＳＩＧに対しても、同様の処理が、実行される。
【００２８】
より好ましい実施形態においては、Ｌ−ＳＩＧ／ＲＬ−ＳＩＧフィールドが、生成または処理される。２０ＭＨｚ帯域幅内のＬ−ＳＩＧ／ＲＬ−ＳＩＧフィールド内のインデックス−２８、−２７、２７、および２８を有するサブキャリアによって搬送される内容は、それぞれ、−１、−１、−１、および１であり、Ｃ１と表記される。その後、後続の処理が、実行される。例えば、生成または処理されたＬ−ＳＩＧ／ＲＬ−ＳＩＧが、送信される。内容を使用することによって、追加のサブキャリアが挿入されるＬ−ＳＩＧ／ＲＬ−ＳＩＧの最大ＰＡＰＲは、２７３０個の異なる値において、きわめて小さくすることができる。
【００２９】
代替として、別のより好ましい実施形態においては、Ｌ−ＳＩＧ／ＲＬ−ＳＩＧフィールドが、生成または処理される。２０ＭＨｚ帯域幅内のＬ−ＳＩＧ／ＲＬ−ＳＩＧフィールド内のインデックス−２８、−２７、２７、および２８を有するサブキャリアによって搬送される内容は、それぞれ、１、−１、−１、および１であり、Ｃ２と表記される。その後、後続の処理が、実行される。例えば、生成または処理されたＬ−ＳＩＧ／ＲＬ−ＳＩＧが、送信される。内容を使用することによって、追加のサブキャリアが挿入されるＬ−ＳＩＧ／ＲＬ−ＳＩＧの平均ＰＡＰＲも、２７３０個の異なる値において、きわめて小さくなる。
【００３０】
この実施形態においては、伝送帯域幅が、２０ＭＨｚよりも大きい（例えば、４０ＭＨｚ、８０ＭＨｚ、または１６０ＭＨｚである）ときは、８０２．１１ａｃにおける処理方式に対して参照が行われ得る。（インデックス−２８、−２７、２７、および２８を有するサブキャリアを含む）上述のＬ−ＳＩＧが、各２０ＭＨｚサブチャネル上において複製され、位相回転が、各２０ＭＨｚサブチャネルに対して適用される。図９は、Ｌ−ＳＩＧ／ＲＬ−ＳＩＧを送信する（すべての伝送帯域幅に適用可能であり得、２０ＭＨｚ帯域幅チャネルにおいては、「各２０ＭＨｚサブチャネル上において複製を実行する」ステップは、必要とされない）手順１を示している。この実施形態においては、８０２．１１ａｃ規格との相違は、８０２．１１ａｃ規格における既存のステップを実行することに加えて、コンステレーションマッピングモジュールが、インデックス−２８、−２７、２７、および２８を有するサブキャリア上において、上述の内容Ｃ１またはＣ２をさらに挿入するように構成されることを含む。
【００３１】
この実施形態においては、具体的には、２０ＭＨｚ伝送帯域幅において、内容Ｃ１（−１、−１、−１、１）の、シミュレーションを用いて獲得される、最大ＰＡＰＲは、１０．４５ｄＢであり、２０ＭＨｚ帯域幅において、他のいくつかの内容の最大ＰＡＰＲは、最大で１２．０６ｄＢに達する。４０ＭＨｚ伝送帯域幅において、内容Ｃ１（−１、−１、−１、１）の最大ＰＡＰＲは、１３．１４ｄＢであり、４０ＭＨｚ帯域幅において、他のいくつかの内容の最大ＰＡＰＲは、最大で１４．５９ｄＢに達する。８０ＭＨｚ伝送帯域幅において、内容Ｃ１（−１、−１、−１、１）の最大ＰＡＰＲは、１２．４５ｄＢであり、８０ＭＨｚ帯域幅において、他のいくつかの内容の最大ＰＡＰＲは、最大で１４．２８ｄＢに達する。１６０ＭＨｚ伝送帯域幅において、内容Ｃ１（−１、−１、−１、１）の最大ＰＡＰＲは、１３．８４ｄＢであり、１６０ＭＨｚ帯域幅において、他のいくつかの内容の最大ＰＡＰＲは、最大で１５．３２ｄＢに達する。
【００３２】
具体的には、２０ＭＨｚ伝送帯域幅において、内容Ｃ２（１、−１、−１、１）の、シミュレーションを用いて獲得される、平均ＰＡＰＲは、６．７４ｄＢであり、２０ＭＨｚ伝送帯域幅において、他のいくつかの内容の平均ＰＡＰＲは、最大で７．２９ｄＢに達する。４０ＭＨｚ伝送帯域幅において、内容Ｃ２（１、−１、−１、１）の平均ＰＡＰＲは、９．５６ｄＢであり、４０ＭＨｚ帯域幅において、他のいくつかの内容の平均ＰＡＰＲは、最大で９．９７ｄＢに達する。８０ＭＨｚ伝送帯域幅において、内容Ｃ２（１、−１、−１、１）の平均ＰＡＰＲは、８．８６ｄＢであり、８０ＭＨｚ帯域幅において、他のいくつかの内容の平均ＰＡＰＲは、最大で９．４８ｄＢに達する。１６０ＭＨｚ伝送帯域幅において、内容Ｃ２（１、−１、−１、１）の平均ＰＡＰＲは、１０．２７ｄＢであり、１６０ＭＨｚ帯域幅において、他のいくつかの内容の平均ＰＡＰＲは、最大で１１．３５ｄＢに達する。
【００３３】
実施形態２
実施形態２は、実施形態１とは異なる。伝送帯域幅が、２０ＭＨｚよりも大きいときは、複製および位相回転が、各２０ＭＨｚ帯域幅上において、Ｌ−ＳＩＧ／ＲＬ−ＳＩＧに対して実行された後に、対応する値が、対応するサブキャリア内に挿入される。この実施形態においては、このケースにおいて、Ｌ−ＳＩＧ／ＲＬ−ＳＩＧフィールド内の追加のサブキャリアは、異なる２０ＭＨｚの帯域幅内において、異なる内容を搬送し得る。このように、２７３０個の異なる値におけるＬ−ＳＩＧ／ＲＬ−ＳＩＧの最大ＰＡＰＲまたは平均ＰＡＰＲは、さらに低減されることができる。
【００３４】
図１０は、この実施形態において、伝送帯域幅が２０ＭＨｚよりも大きいときに、Ｌ−ＳＩＧ／ＲＬ−ＳＩＧを送信する手順を示している。
【００３５】
図１０においては、「伝送帯域幅に従って、対応するサブキャリアロケーションにおいて、対応する値を挿入する」モジュールが、特に説明される。
【００３６】
（１）伝送帯域幅が、４０ＭＨｚであるときは、内容１、−１、−１、１、−ｊ、−ｊ、−ｊ、およびｊ、または内容−１、−１、１、１、ｊ、−ｊ、−ｊ、および−ｊが、インデックス−６０、−５９、−５、−４、４、５、５９、および６０を有するサブキャリア内にそれぞれ挿入され、ここで、
【００３７】
【数２】
0006705895.tif 000003
【００３８】
である。内容１、−１、−１、１、−ｊ、−ｊ、−ｊ、およびｊは、最大ＰＡＰＲを最小化するルールに従って、決定され、内容の最大ＰＡＰＲは、１２．８３ｄＢであり、他のいくつかの内容の最大ＰＡＰＲは、最大で１４．５９ｄＢに達する。内容−１、−１、１、１、ｊ、−ｊ、−ｊ、および−ｊは、平均ＰＡＰＲを最小化するルールに従って、決定され、内容の平均ＰＡＰＲは、９．３９ｄＢであり、他のいくつかの内容の平均ＰＡＰＲは、最大で９．９７ｄＢに達する。
【００３９】
（２）伝送帯域幅が、８０ＭＨｚであるときは、内容１、−１、−１、−１、−１、１、１、１、１、１、１、−１、−１、１、１、および１、または内容１、−１、−１、１、−１、１、１、−１、１、１、１、１、−１、１、−１、および−１が、インデックス−１２４、−１２３、−６９、−６８、−６０、−５９、−５、−４、４、５、５９、６０、６８、６９、１２３、および１２４を有するサブキャリア内にそれぞれ挿入される。内容１、−１、−１、−１、−１、１、１、１、１、１、１、−１、−１、１、１、および１は、最大ＰＡＰＲを最小化するルールに従って、決定され、内容の最大ＰＡＰＲは、１２．３４ｄＢであり、他のいくつかの内容の最大ＰＡＰＲは、最大で１４．２８ｄＢに達する。内容１、−１、−１、１、−１、１、１、−１、１、１、１、１、−１、１、−１、および−１は、平均ＰＡＰＲを最小化するルールに従って、決定され、内容の平均ＰＡＰＲは、８．７３ｄＢであり、他のいくつかの内容の平均ＰＡＰＲは、最大で９．４８ｄＢに達する。
【００４０】
（３）伝送帯域幅が、１６０ＭＨｚであるときは、内容−１、−１、−１、１、１、１、１、−１、１、１、１、−１、−１、−１、−１、１、−１、−１、−１、１、１、１、１、−１、１、１、１、−１、１、１、１、および−１、または内容１、−１、−１、１、−１、１、１、−１、１、−１、−１、１、１、−１、−１、１、−１、１、１、−１、１、−１、−１、１、−１、１、１、−１、−１、１、１、および−１が、インデックス−２５２、−２５１、−１９７、−１９６、−１８８、−１８７、−１３３、−１３２、−１２４、−１２３、−６９、−６８、−６０、−５９、−５、−４、４、５、５９、６０、６８、６９、１２３、１２４、１３２、１３３、１８７、１８８、１９６、１９７、２５１、および２５２を有するサブキャリア内にそれぞれ挿入される。内容−１、−１、−１、１、１、１、１、−１、１、１、１、−１、−１、−１、−１、１、−１、−１、−１、１、１、１、１、−１、１、１、１、−１、１、１、１、および−１は、最大ＰＡＰＲを最小化するルールに従って、決定され、内容の最大ＰＡＰＲは、１３．７９ｄＢであり、他のいくつかの内容の最大ＰＡＰＲは、最大で１５．３２ｄＢに達する。内容１、−１、−１、１、−１、１、１、−１、１、−１、−１、１、１、−１、−１、１、−１、１、１、−１、１、−１、−１、１、−１、１、１、−１、−１、１、１、および−１は、平均ＰＡＰＲを最小化するルールに従って、決定され、内容の平均ＰＡＰＲは、１０．１０ｄＢであり、他のいくつかの内容の平均ＰＡＰＲは、最大で１１．３８ｄＢに達する。
【００４１】
本発明において提供されるＬ−ＳＩＧ／ＲＬ−ＳＩＧ伝送方法または装置によれば、Ｌ−ＳＩＧ／ＲＬ−ＳＩＧは、良好なＰＡＰＲによって特徴付けられ、異なる帯域幅条件において、容易に実装される。
【００４２】
本発明は、８０２．１１ａ、８０２．１１ｂ、８０２．１１ｇ、８０２．１１ｎ、もしくは８０２．１１ａｃによって代表されるＷｉ−Ｆｉシステムを含むが、それに限定されない、ワイヤレスローカルエリアネットワークに適用され得、または次世代Ｗｉ−Ｆｉシステム、もしくは次世代ワイヤレスローカルエリアネットワークシステムに適用され得る。
【００４３】
本発明は、上述の方法を実行し得る、情報伝送装置をさらに提供する。図１１は、本発明の実施形態における、情報伝送装置の概略構造図の例（例えば、アクセスポイント、局、およびチップなどの、図中のいくつかの構成要素は、任意選択である）である。図１１に示されるように、情報伝送装置１２００は、汎用バスアーキテクチャとしてバス１２０１を使用することによって、実装され得る。バス１２０１は、情報伝送装置１２００の特定のアプリケーションおよび全体的な設計制約条件に従って、任意の数量の相互接続されたバスおよびブリッジを含み得る。様々な回路が、バス１２０１を使用することによって、一緒に接続される。これらの回路は、プロセッサ１２０２と、記憶媒体１２０３と、バスインターフェース１２０４とを含む。情報伝送装置１２００においては、ネットワークアダプタ１２０５などは、バスインターフェース１２０４を使用することによって、バス１２０１を介して接続される。ネットワークアダプタ１２０５は、ワイヤレスローカルエリアネットワーク内の物理レイヤにおいて信号処理機能を実装し、アンテナ１２０７を使用することによって、無線周波数信号を送信および受信するように構成され得る。ユーザインターフェース１２０６は、キーボード、ディスプレイ、マウス、またはジョイスティックなどの、ユーザ端末に接続され得る。バス１２０１は、さらに、タイミング源、周辺デバイス、電圧レギュレータ、および電力管理回路などの、他の様々な回路に接続され得る。これらの回路は、当技術分野において知られている。したがって、詳細は、説明されない。
【００４４】
代替として、情報伝送装置１２００は、汎用処理システムとして構成され得る。汎用処理システムは、プロセッサ機能を提供する１つまたは複数のマイクロプロセッサと、記憶媒体１２０３の少なくとも一部を提供する外部メモリとを含む。すべての構成要素は、外部バスアーキテクチャを使用することによって、別のサポート回路に接続される。
【００４５】
代替として、情報伝送装置１２００は、プロセッサ１２０２と、バスインターフェース１２０４と、ユーザインターフェース１２０６と、記憶媒体１２０３の少なくとも一部とを含み、シングルチップ内に統合された、ＡＳＩＣ（特定用途向け集積回路）を使用することによって、実装され得る。代替として、情報伝送装置１２００は、１つもしくは複数のＦＰＧＡ（フィールドプログラマブルゲートアレイ）、ＰＬＤ（プログラマブル論理デバイス）、コントローラ、状態機械、ゲート論理、個別ハードウェア構成要素、他の任意の適切な回路、または本発明において説明される様々な機能を実行することができる回路の任意の組み合わせを使用することによって、実装され得る。
【００４６】
プロセッサ１２０２は、バス管理と、（記憶媒体１２０３上に記憶されたソフトウェアを実行することを含む）汎用処理とを担う。プロセッサ１２０２は、１つまたは複数の汎用プロセッサおよび／または専用プロセッサを使用することによって、実装され得る。プロセッサは、例えば、マイクロプロセッサ、マイクロコントローラ、ＤＳＰプロセッサ、またはソフトウェアを実行することができる別の回路を含む。ソフトウェアが、ソフトウェア、ファームウェア、ミドルウェア、マイクロコード、またはハードウェア記述言語など、どう呼ばれるかにかかわらず、ソフトウェアは、命令、データ、またはそれらの任意の組み合わせとして、広義に解釈されるべきである。
【００４７】
図１１においては、記憶媒体１２０３は、プロセッサ１２０２から分離されて示されている。しかしながら、記憶媒体１２０３または記憶媒体１２０３の任意の部分は、情報伝送装置１２００の外部に配置され得ることを、当業者は容易に理解する。例えば、記憶媒体１２０３は、伝送線路、データ変調を用いて獲得されるキャリア波形、および／またはワイヤレスノードから分離されたコンピュータ製品を含み得る。すべての媒体は、バスインターフェース１２０４を使用することによって、プロセッサ１２０２によってアクセスされ得る。代替として、記憶媒体１２０３または記憶媒体１２０３の任意の部分は、プロセッサ１２０２内に統合され得、例えば、キャッシュおよび／または汎用レジスタであり得る。
【００４８】
プロセッサ１２０２は、上述の実施形態を実行し得、詳細は、本明細書では説明されない。
【００４９】
方法の実施形態のステップのすべてまたは一部は、関連ハードウェアに命令するプログラムによって実装され得ることを、当業者は理解し得る。プログラムは、コンピュータ可読記憶媒体内に記憶され得る。プログラムが、動作するとき、方法の実施形態のステップが、実行される。上述の記憶媒体は、ＲＯＭ、ＲＡＭ、磁気ディスク、または光ディスクなど、プログラムコードを記憶することができる任意の媒体を含む。
【図１】
0006705895.tif 000004
【図２】
0006705895.tif 000005
【図３】
0006705895.tif 000006
【図４】
0006705895.tif 000007
【図５Ａ】
0006705895.tif 000008
【図５Ｂ】
0006705895.tif 000009
【図６】
0006705895.tif 000010
【図７】
0006705895.tif 000011
【図８】
0006705895.tif 000012
【図９】
0006705895.tif 000013
【図１０】
0006705895.tif 000014
【図１１】
0006705895.tif 000015